(57)【特許請求の範囲】
【請求項１】
構築される躯体（Ｋ）の外側に設けられたエレベータ（１）が各フロアに設けられたベランダ（７）に乗入れる乗入れステージ（２）を支持するためのブラケット装置において、ベランダ（７）の先端部（７ａ）には垂直に立ち上げられた部分を有し、ベランダ（７）に取付けられたブラケット（３）は角柱（１３、１４）がＬ字状に結合されており、その一方の角柱（１３）には内管（１５）が摺動自在に挿入されており、そしてその角柱にはＬ字状のステー（１７）が溶着され、そのステー（１７）には前記先端部（７ａ）を他方の角柱（１４）で挟持する調節手段（１８）が取付けられ、さらに内管（１５）には複数の貫通孔（２２）が穿孔され、一方の角柱（１３）の穴（１６）に前記貫通孔（２２）を介してトグルピン（２４）を挿入することで内管（１５）が前記乗入れステージ（２）に対応して位置決めされることを特徴とするエレベータ乗入れステージのブラケット装置。
【発明の詳細な説明】
【０００１】
【発明の属する技術分野】
本発明は、構築されている躯体の外側に設けられたエレベータ乗入れステージを支持するブラケット装置に関する。
【０００２】
【従来の技術】
例えば，図９に示すように、構築中の躯体Ｋの外側に工事用エレベータ１が設けられ、そのエレベータから構築中の躯体への人員の移動や資材の搬入、搬出を行う乗入れステージ２を支持するブラケット３が躯体側に設けられる技術は知られている。
【０００３】
そして、その技術は通常、例えば、図９示すように上下階のバルコニー７ａ、７ｂ間に、例えばジャッキ３０で取り付けられた単管パイプ３１やハンドステージ３２をベースにしてつなぎ単管パイプ３３、バルコニ補強用アルマストロングサポート３４等で組み立てたバタ角材３５の上に合成足場板を敷きつけて構成することが一般に行われているのが実情である。
【発明が解決しようとする課題】
【０００４】
しかしながら、上述したような従来技術においては、加工された鉄骨、パイプ等で構成された部材を構築する躯体にアンカー等で取り付けるため、作業が厄介であり、手間が掛かる。
【０００５】
また、躯体の形状如何ではブラケットの取り付けが不安定な形状となり、滑りとめ等のために孔を穿孔して取り付けることが必要となり、その場合、乗込みステージ撤去後の孔の補修工事が必要となる。
【０００６】
さらに、工期が長くなれば、木材を用いた部分は腐食する等の問題が生じる可能性もある。
【０００７】
したがって、本発明は、取り付けが容易で短時間に設置可能であり、耐久性があり、躯体に安定して強固に取り付けできるエレベータ乗入れステージのブラケット装置を提供することを目的としている。
【課題を解決するための手段】
【０００８】
本発明によれば、構築される躯体Ｋの外側に設けられたエレベータ１が各フロアに設けられたベランダ７に乗入れる乗入れステージ２を支持するためのブラケット装置において、ベランダ７の先端部７には垂直に立ち上げられた部分を有し、ベランダ７に取付けられたブラケット３は角柱１３、１４がＬ字状に結合されており、その一方の角柱１３には内管１５が摺動自在に挿入されており、そしてその角柱にはＬ字状のステー１７が溶着され、そのステー１７には前記先端部７ａを他方の角柱１４で挟持する調節手段１８が取付けられ、さらに内管１５には複数の貫通孔２２が穿孔され、一方の角柱１３の穴１６に前記貫通孔２２を介してトグルピン２４を挿入することで内管１５が前記乗入れステージ２に対応して位置決めされるようになっている。
【００１０】
本発明は、以上のように構成されているため、構築中の躯体ベランダの外側に設けられている垂直に立ち上げられた部分にブラケットの挟持部を係合させ、調整手段のねじで立ち上げられた部分に強固に固定する。
【００１１】
ついで、２重管の内管を伸縮してエレベータの乗入れ部と接続される長さとして、例えばトグルピンを調整孔に入れて内管を位置決めすれば、それら複数のブラケットの上に鍍金孔あき鋼板の足場板を敷き詰めて乗入れステージを容易に形成すことが出来る。
【００１２】
この場合、加工作業が一切ないので、スパナ作業だけで容易で、かつ迅速に実施できる。
【発明の実施の形態】
【００１３】
図１は、本発明に係るエレベータ１の乗入れステージ２のブラケット装置３が設置された構築中の躯体Ｋの立面図（図示の例は１３階建てを示す）であり、それぞれのフロア１Ｆ〜１３Ｆに設けられたベランダ７には乗入れステージ２を支持するブラケット３が取り付けられている。
【００１４】
また、図２はエレベータ本体１（本体も符号１で示す）の平面図を示し、符号８はアコーディオン式の折りたたみ養生枠を示している。
【００１５】
図３はベランダ７に取り付けられたブラケット３の取りつけ詳細図を示し、ベランダ７の先端部７ａに垂直に立ち上げられた部分が、図４に示すように、角柱で直角に構成されたブラケット本体１３と調整手段である調整ねじ１８とで狭持するように強固に把持されている。
【００１６】
そして、乗入れステージ２の長さに対応して、２重管の内管が外管の内側を摺動して位置決めされ、その乗入れステージ２は上面に足場板が敷きつめられて構成されている。
【００１７】
図４は、ブラケット３の全体構成を示し、角柱（図示の例は６０−６０、３．２ｔ）１３と１４とがＬ字状に溶接結合された本体に調節手段であるボルト１８が螺合されたＬ字状のステー１７が溶着されており、内管１５の端部には図６を参照して、内管の抜けとめ部材１３ａが設けられている。
【００１８】
また、前記ボルト１８の頭部には回転自在にパッド１９が設けられ、ボルト１８はロックナット２０によりステー１７にロックされるよう構成され、本体１３の内側には内管１５（図示の例は５０−５０、２ｔ）が摺動自在に挿入されている。
【００１９】
図５は、図４のＢ矢視図を示し、内管１５にはその内側センターに、Ａ−Ａ断面図である図７を参照して、補強部材２１が溶着されている。
【００２０】
さらに、図６を参照して、内管１５には複数（図示の例は６箇所）の貫通孔２２が穿孔され、図８に示すトグルピン２４を本体の穴１６（図４参照）に挿入して、前述した内管１５が乗入れステージ２に対応して位置決めされる。
【００２１】
以上説明した通り、作業現場においては一切加工作業を実施することなく、容易にエレベータ乗入れステージのブラケットを強固に安定して躯体側に締結することが出来る。
【００２２】
【発明の効果】
本発明は、以上説明した通り構成されており、以下の優れた効果を奏することが出来る。
（１）  ブラケットを工場で製造できるため、短期間で安く作ることが出来る。
（２）  鋼材で製造され、亜鉛鍍金されているので、耐久性がよい。
（３）  取付に穴あけが不要であるため、作業容易であり、撤去後の補修も不要である。
（４）  ２重管構造で内管が摺動自在のため、適用範囲が広い。
【図面の簡単な説明】
【図１】本発明の一実施形態を示す構築中の躯体を示す立面図。
【図２】エレベータ本体の例を示す平面図。
【図３】乗入れステージの全体構成を示す図。
【図４】ブラケットの全体構成を示す図。
【図５】図４のＢ矢試視図。
【図６】内管を示す図。
【図７】図５のＡ―Ａ断面図。
【図８】トグルピンを示す図。
【図９】従来技術の例を示す図。
【符号の説明】
１…エレベータ
２…乗入れステージ
３…ブラケット
７…ベランダ
１３…外管
１５…内管
１７…ステー
１８…調整ねじ
１９…パッド
２１…補強部材
２２…貫通孔
【図１】
0003815724.tif 000002
【図２】
0003815724.tif 000003
【図３】
0003815724.tif 000004
【図４】
0003815724.tif 000005
【図５】
0003815724.tif 000006
【図６】
0003815724.tif 000007
【図７】
0003815724.tif 000008
【図８】
0003815724.tif 000009
【図９】
0003815724.tif 000010